(57)【要約】【課題】糸挿通ワイヤが円滑に釣竿本体内に挿通され、釣糸挿通作業を迅速に行うことができる釣竿の提供。【解決手段】この釣竿２０は、元上節２６に釣糸釣糸導入孔が設けられインナーガイドタイプである。糸挿通ワイヤ４１は、釣糸導入孔から釣竿内部に挿通される。元上節２６と連結される第３番節２５は、その後端部にワイヤガイド３４が設けられている。ワイヤガイド３４は、真直な円筒状に形成されている。元上節２６の先端部は、所定のテーパが形成された第１嵌合部３９と真直な円筒状に形成された第２嵌合部４０とを備える。第３番節２５が元上節２６から引き出された状態で、ワイヤガイド３４は、第２嵌合部４０の内側に隙間なく嵌め合わされる。【選択図】  図２
2004187589.tif 000002
【特許請求の範囲】
【請求項１】
釣糸を挿通させるための糸挿通ワイヤが挿入される釣糸導入孔が設けられた一の節と、
一の節に振出式に連結された他の節と、
他の節の後端部に設けられ、糸挿通ワイヤを当該他の節の内部に案内するワイヤガイドとを備え、
他の節が一の節から引き出された状態で、ワイヤガイドの側面のうち少なくとも糸挿通ワイヤが挿入される側の周縁部と上記一の節の内壁面とが当接するように構成されている釣竿。
【請求項２】
釣糸を挿通させるための糸挿通ワイヤが挿入される釣糸導入孔が設けられた一の節と、
一の節に振出式に連結された他の節と、
他の節の後端部に設けられ、糸挿通ワイヤを当該他の節の内部に案内するワイヤガイドとを備え、
一の節の内壁面は、他の節が一の節から引き出された状態で、ワイヤガイドの側面のうち少なくとも糸挿通ワイヤが挿入される側の周縁部に当接する形状に形成されている釣竿。
【請求項３】
上記ワイヤガイドは、真直な円筒状に形成されており、
上記一の節は、他の節が一の節から引き出された状態で、ワイヤガイドの側面に当接する真直な円筒部を備えている請求項２記載の釣竿。
【請求項４】
釣糸を挿通させるための糸挿通ワイヤが挿入される釣糸導入孔が設けられた一の節と、
一の節に振出式に連結された他の節と、
他の節の後端部に設けられ、糸挿通ワイヤを当該他の節の内部に案内するワイヤガイドとを備え、
ワイヤガイドの側面のうち少なくとも糸挿通ワイヤが挿入される側の周縁部は、他の節が一の節から引き出された状態で、一の節の内壁面に当接する形状に形成されている釣竿。
【請求項５】
上記ワイヤガイドは、円筒状に形成されており、その周面は、上記一の節の内壁面に形成されたテーパと同様のテーパが形成されている請求項４記載の釣竿。
【発明の詳細な説明】
【０００１】
【発明の属する技術の分野】
この発明は、釣竿、より詳しくは、インナーガイドタイプの釣竿の構造に関するものである。
【０００２】
【従来の技術及び発明が解決しようとする課題】
図４は、従来のインナーガイドタイプの釣竿の正面図である。
この釣竿１では、釣糸が釣竿１の内部に挿通される。釣糸は、糸挿通ワイヤ２によって釣竿１の内部に挿通される。釣糸は、次のような要領で釣竿１に挿通される。
この釣竿１は、第１番節３〜第５番節７を備えており、これらは振出式に組み立てられている。なお、同図では、第２番節４は第３番節５の内部に収容されており、その図示が省略されている。
釣糸が挿通されるときは、まず、同図が示すように、第３番節５が第４番節６から引き出される。釣人は、糸挿通ワイヤ２の後端部に釣糸を引っ掛け、当該糸挿通ワイヤ２の先端部８を第４番節６の釣糸導入孔９に挿入する。糸挿通ワイヤ２は、釣竿１の内部に順次送り込まれ、第１番節３の先端部から引き抜かれる。これにより、釣糸は、釣竿１の内部に挿通される。
【０００３】
釣り場においては、この糸挿通作業は、迅速に行われるべきであり、そのための改良は、従来から種々行われている（例えば、特許文献１参照）。
糸挿通作業が円滑に行われるためには、第４番節６に挿入された糸挿通ワイヤ２が、円滑に第３番節５に挿入される必要がある。
図５は、釣竿１の要部拡大断面図であり、第３番節５が第４番節６から引き出された状態での両者の連結部分の構造を詳細に図示している。
同図が示すように、第３番節５の後端部には、ワイヤガイド１０が取り付けられており、このワイヤガイド１０には、漏斗状の貫通孔１１が設けられている。第４番節６に挿通された糸挿通ワイヤ２は、その先端部８がワイヤガイド１０に到達すると、上記貫通孔１１の内壁に案内されながら第３番節５に挿通される。
【０００４】
ところで、釣竿１を構成する各節３〜７は、通常、一定のテーパが形成されている。したがって、第３番節５に設けられたワイヤガイド１０の後端部と第４番節６の内壁面との間には、一定の隙間１１が形成される。
そのため、糸挿通ワイヤ２がワイヤガイド１０の後端部に到達した場合に、糸挿通ワイヤ２の先端部８が上記隙間１１に噛み込んでしまう場合がある。特に、当該釣竿１のように、釣糸導入孔９とワイヤガイド１０との距離Ｌが大きい場合は（図４参照）、この区間内で糸挿通ワイヤ２が安定しにくいために、糸挿通ワイヤ２が上記隙間１１に噛み込む場合が多くなる。このように、糸挿通ワイヤ２が上記隙間１１に引っ掛かると、円滑な糸挿通作業は困難となる。
【０００５】
【特許文献１】
特開２００２−１５３１６９号公報
【０００６】
そこで、本発明の目的は、糸挿通ワイヤが円滑に釣竿内に挿通され、釣糸挿通作業を迅速に行うことができる釣竿を提供することである。
【０００７】
【課題を解決するための手段】
(1) 上記目的が達成されるため、本願に係る釣竿は、釣糸を挿通させるための糸挿通ワイヤが挿入される釣糸導入孔が設けられた一の節と、一の節に振出式に連結された他の節と、他の節の後端部に設けられ、糸挿通ワイヤを当該他の節の内部に案内するワイヤガイドとを備え、他の節が一の節から引き出された状態で、ワイヤガイドの側面のうち少なくとも糸挿通ワイヤが挿入される側の周縁部と上記一の節の内壁面とが当接するように構成されていることを特徴とするものである。
【０００８】
この釣竿では、釣糸は、釣糸導入孔から釣糸が挿入され、釣竿の内部を挿通される。つまり、この釣竿は、いわゆるインナーガイドタイプである。釣竿に釣糸が挿通されるときは、まず、他の節が一の節から引き出される。この状態では、一の節の先端部の内側に他の節の後端部が嵌め合わされる。釣糸は、糸挿通ワイヤに導かれて釣竿に挿入されるが、このとき、糸挿通ワイヤが先に釣竿に挿入される。
糸挿通ワイヤが一の節の内部に順次送り込まれると、糸挿通ワイヤの先端部が他の節の後端部に到達する。他の節の後端部にはワイヤガイドが設けられており、これにより、糸挿通ワイヤは、ワイヤガイドに案内されつつ他の節の内部に送り込まれる。このとき、ワイヤガイドの側面のうち少なくとも糸挿通ワイヤが挿入される側の周縁部は、一の節の内壁面と当接しているから、両者間に隙間は存在しない。したがって、糸挿通ワイヤは、ワイヤガイドと一の節の内壁面との間に引っ掛かることなく、円滑にワイヤガイドに進入することができる。
【０００９】
(2) また、上記目的が達成されるため、本願に係る釣竿は、釣糸を挿通させるための糸挿通ワイヤが挿入される釣糸導入孔が設けられた一の節と、一の節に振出式に連結された他の節と、他の節の後端部に設けられ、糸挿通ワイヤを当該他の節の内部に案内するワイヤガイドとを備え、一の節の内壁面は、他の節が一の節から引き出された状態で、ワイヤガイドの側面のうち少なくとも糸挿通ワイヤが挿入される側の周縁部に当接する形状に形成されていることを特徴とするものである。
【００１０】
この釣竿では、釣糸は、釣糸導入孔から釣糸が挿入され、釣竿の内部を挿通される。つまり、この釣竿は、いわゆるインナーガイドタイプである。釣竿に釣糸が挿通されるときは、まず、他の節が一の節から引き出される。この状態では、一の節の先端部の内側に他の節の後端部が嵌め合わされる。釣糸は、糸挿通ワイヤに導かれて釣竿に挿入されるが、このとき、糸挿通ワイヤが先に釣竿に挿入される。
糸挿通ワイヤが一の節の内部に順次送り込まれると、糸挿通ワイヤの先端部が他の節の後端部に到達する。他の節の後端部にはワイヤガイドが設けられており、これにより、糸挿通ワイヤは、ワイヤガイドに案内されつつ他の節の内部に送り込まれる。このとき、一の節の内壁面は、ワイヤガイドの側面のうち少なくとも糸挿通ワイヤが挿入される側の周縁部に当接するように形成されているから、一の節の内壁面とワイヤガイドとの間に隙間は存在しない。したがって、糸挿通ワイヤは、ワイヤガイドと一の節の内壁面との間に引っ掛かることなく、円滑にワイヤガイドに進入することができる。
【００１１】
具体的には、上記ワイヤガイドが真直な円筒状に形成され、上記一の節は、他の節が一の節から引き出された状態で、ワイヤガイドの側面に当接する真直な円筒部を備えて構成されていればよい。
釣竿を構成する節は筒状に形成されるが、節は、通常所定のテーパが形成され、竿先側は細径に、竿元側は太径に形成される。この構成では、一の節にテーパが設けられていない真直な円筒部が形成されているので、他の節が一の節から引き出されたときに、ワイヤガイドの周面は、上記真直な円筒部の内壁面にぴったりと隙間なく当接する。したがって、糸挿通ワイヤは、ワイヤガイドと一の節の内壁面との間に引っ掛かることなく、円滑にワイヤガイドに進入することができる。
【００１２】
(3) さらに、上記目的が達成されるため、本願に係る釣竿は、釣糸を挿通させるための糸挿通ワイヤが挿入される釣糸導入孔が設けられた一の節と、一の節に振出式に連結された他の節と、他の節の後端部に設けられ、糸挿通ワイヤを当該他の節の内部に案内するワイヤガイドとを備え、ワイヤガイドの側面のうち少なくとも糸挿通ワイヤが挿入される側の周縁部は、他の節が一の節から引き出された状態で、一の節の内壁面に当接する形状に形成されていることを特徴とするものである。
【００１３】
この釣竿では、釣糸は、釣糸導入孔から釣糸が挿入され、釣竿の内部を挿通される。つまり、この釣竿は、いわゆるインナーガイドタイプである。釣竿に釣糸が挿通されるときは、まず、他の節が一の節から引き出される。この状態では、一の節の先端部の内側に他の節の後端部が嵌め合わされる。釣糸は、糸挿通ワイヤに導かれて釣竿に挿入されるが、このとき、糸挿通ワイヤが先に釣竿に挿入される。
糸挿通ワイヤが一の節の内部に順次送り込まれると、糸挿通ワイヤの先端部が他の節の後端部に到達する。他の節の後端部にはワイヤガイドが設けられており、これにより、糸挿通ワイヤは、ワイヤガイドに案内されつつ他の節の内部に送り込まれる。このとき、ワイヤガイドの側面のうち少なくとも糸挿通ワイヤが挿入される側の周縁部は、一の節の内壁面に当接するように形成されているから、ワイヤガイドと一の節の内壁面との間に隙間は存在しない。したがって、糸挿通ワイヤは、ワイヤガイドと一の節の内壁面との間に引っ掛かることなく、円滑にワイヤガイドに進入することができる。
【００１４】
具体的には、上記ワイヤガイドが円筒状に形成され、その周面は、上記一の節の内壁面に形成されたテーパと同様のテーパが形成されていればよい。
釣竿を構成する節は筒状に形成されるが、節は、通常所定のテーパが形成され、竿先側は細径に、竿元側は太径に形成される。この構成では、ワイヤガイドの周面が一の節の内壁面に形成されたテーパと同様のテーパに形成されているので、他の節が一の節から引き出されたときに、ワイヤガイドの周面は、一の節の内壁面にぴったりと隙間なく当接する。したがって、糸挿通ワイヤは、ワイヤガイドと一の節の内壁面との間に引っ掛かることなく、円滑にワイヤガイドに進入することができる。
【００１５】
【発明の実施の形態】
以下、適宜図面が参照されつつ、好ましい実施形態に基づいて本発明が詳細に説明される。
【００１６】
＜第１の実施形態＞
図１は、本発明の第１の実施形態に係る釣竿２０の正面図である。
この釣竿２０は、いわゆるインナーガイドタイプの振出式釣竿である。したがって、釣糸は、糸挿通ワイヤに導かれて釣糸導入孔１９から挿通される。具体的には、糸挿通ワイヤがその先端部から釣糸導入孔１９に挿入され、糸挿通ワイヤの後端部に引っ掛けられた釣糸が当該糸挿通ワイヤに引っ張られて釣竿２０の内部に挿通されるようになっている。
釣竿２０は、釣竿本体２１を備え、この釣竿本体２１は、５つの節２３〜２７から構成されている。なお、本実施形態に係る釣竿２０では５つの節２３〜２７を備えているが、節の数には何ら制限はない。
【００１７】
釣竿本体２１を構成する５つ節２３〜２７は、釣竿本体２１の先端側（図中左側）から順に第１番節２３、第２番節２４と称される。第４番節２６は、特に「元上節」と称され、第５番節２７は、特に「元節」と称されることがある。
各節１３〜１７は、既知の要領で構成される。例えば、カーボンプリプレグが所定形状に裁断され、これが所定形状のマンドレルの周囲に巻回されることによって、上記所定のテーパが形成された円筒状の節２３〜２７が形成される。
また、この釣竿２０では、第４番節２６（すなわち元上節２６）が第５番節２７（すなわち元節２７）に対して伸縮するズーム機構を搭載している。もっともこのズーム機構は任意的なものであって、当該機構は省略される場合もある。
【００１８】
第１番節２３は第２番節２４の内部に引き出し自在に収容されている。また、第１番節２３の先端には、釣糸が導き出されるトップガイド１８が設けられている。前述のように第１番節２３はテーパ状に形成されており、先端部の外径よりも後端部の外径の方が大きくなるように形成されている。そして、第１番節２３の後端径は、第２番節２４の先端径よりも大きく設定されており、第１番節２３が第２番節２４から引き出された際に、第１番節２３の後端部分が第２番節２４の先端部分とかみ合って両者が固定されるようになっている。
【００１９】
第２番節２４と第３番節２５との関係及び第３番節２５と元上節２６との関係も同様である。また、第２番節２４ないし元節２７の先端部には、当該部分の剛性を向上させ、隣り合う節のかみ合いを確実なものとするために、リングＲ１〜Ｒ４が装着されている。
元上節１６の中央部分には、図示されていなが、釣糸が導入される孔が設けられており、この部分に導入ガイド１７が取り付けられている。そして、この導入ガイド１７に、上記釣糸導入孔１９が設けられており、釣糸は、釣糸導入孔１９及び上記元上節２６に設けられた孔を経て、釣竿２０の内部に進入する。なお、上記トップガイド１８及び導入ガイド１７は、既知の構成であるので、その詳しい説明は省略される。
【００２０】
元節２７には、リールシート３０が一体的に形成されている。このリールシート３０は、釣用リール（図示せず）を着脱自在に保持するためのものであると共に、実釣において釣人が実際に釣竿２０を把持する部分である。なお、釣用リールは、上記釣糸を巻き取るものであり、所要時には、釣糸を自在に繰り出すことができる。
リールシート３０は、釣用リールの脚部の一方を収容保持するフード３１と、脚部の他方を収容保持する可動フード３２とを備えている。可動フード３２は、釣用リールが載置される載置面３３に沿って図中左右にスライド可能となっている。そして、可動フード３２が図中左右にスライドすることにより、可動フード３２とフード３１との間でリール脚部が挟持され、釣用リールが載置面３３上で固定されるようになっている。
【００２１】
図２は、釣竿２０の要部拡大断面図であり、元上節２６（一の節）から第３番節２５（他の節）が引き出された状態における両者の連結部分の構造が詳細に図示されている。
第３番節２５の後端部には、ワイヤガイド３４が取り付けられている。ワイヤガイド３４は、円筒状に形成されており、例えば、ポリブチレンテレフタレート（ＰＢＴ）、アクリロニトリルブタジエンスチレン共重合体（ＡＢＳ）等の樹脂から構成されている。ワイヤガイド３４の先端部３５には、雄ねじが形成されている。一方、第３番節２５の後端部の内周面には、雌ねじが形成されており、ワイヤガイド３４は、この雌ねじ部分にねじ込まれて固定されている。ワイヤガイド３４は、その中心軸に沿って貫通孔３６が形成されている。この貫通孔３６は、同図が示すように、漏斗状に形成されている。
【００２２】
第３番節２５は、前述のように所定のテーパが形成されている。本実施形態では、このテーパは、２／１０００〜５／１０００程度に設定される。上記ワイヤガイド３４の外径は、第３番節２５の後端外径に対応されている。
元上節２６は、同図が示すように、本体部３７と嵌合部３８とを備えている。本体部３７は、前述のように所定のテーパが形成されており、本実施形態では、このテーパは、２／１０００〜５／１０００程度に設定されている。
また、嵌合部３８は、第３番節２５がかみ合わされる部位であって、第１嵌合部３９と第２嵌合部４０とを備えている。第１嵌合部３９は、第３番節２５が実際に嵌合する部位であり、当該第１嵌合部３９のテーパは、第３番節２５のテーパに対応されている。第２嵌合部４０は、テーパが形成されておらず、真直な円筒状に形成されている。この第２嵌合部４０は、同図が示すように、ワイヤガイド３４が嵌め込まれるようになっており、その内径は、ワイヤガイド３４の外径に対応されている。したがって、第３番節２５が元上節２６から引き出された状態では、ワイヤガイド３４と元上節２６の内壁面との間に隙間は形成されず、両者は、ぴったりと当接する。
【００２３】
本実施形態に係る釣竿２０では、次のようにして釣糸が釣竿２０の内部に挿入される。
釣人は、まず、第３番節２５を元上節２６から引き出す。これにより、第３番節２５の後端部は、図２が示す状態で元上節２６の先端部に嵌合する。釣用リールから繰り出された釣糸は、糸挿通ワイヤ４１に導かれて釣竿２０に挿入されるが、このとき、釣糸は、糸挿通ワイヤ４１の後端部に引っ掛けられ、糸挿通ワイヤ４１の先端部４２が上記釣糸挿通孔１９に挿入される。
糸挿通ワイヤ４１が元上節２６の内部に順次送り込まれると、糸挿通ワイヤ４１の先端部４２が第３番節２５の後端部設けられたワイヤガイド３４に到達する。ワイヤガイド３４には、上記漏斗状の貫通孔３６が設けられているから、糸挿通ワイヤ４１の先端部４２は、貫通孔３６の内壁面に案内されながら第３番節２５の内部に送り込まれる。
【００２４】
このとき、ワイヤガイド３４と元上節２６の内壁面とは、隙間なくぴったりと当接しているから、糸挿通ワイヤ４１は、ワイヤガイド３４と元上節２６の内壁面との間に引っ掛かることなく、円滑にワイヤガイド３４の貫通孔３６に進入することができる。
したがって、釣人は、本実施形態に係る釣竿２０のように、釣糸導入孔１９からワイヤガイド３４までの距離が大きい場合であっても、釣糸を釣竿２０に挿通する作業を容易且つ迅速に行うことができる。
【００２５】
特に、本実施形態に係る釣竿２０では、ワイヤガイド３４と元上節２６の内壁面とが隙間なくぴったりと当接されるために、元上節２６に上記第２嵌合部４０が形成され、しかも、この第２嵌合部４０が単純な円筒状に形成されている。したがって、ワイヤガイド３４と元上節２６との間の隙間をなくすための構造がきわめて簡単であり、釣竿２０の製造も従来と同様の工程が採用され得る。その結果、釣竿２０の製造コストが大幅に上昇することはないという利点がある。
【００２６】
本実施形態では、ワイヤガイド３４が円筒状に形成され、その側面全体が元上節２６の内壁面に当接しているが、かかる構造に限定されるものではなく、ワイヤガイド３４の側面のうち、少なくとも後端部、すなわち、糸挿通ワイヤ４１が挿入される側の周縁部が元上節２６の内壁面とぴったりと当接する構造であればよい。
その場合であっても、糸挿通ワイヤ４１がワイヤガイド３４に到達したときに、ワイヤガイド３４と元上節２６の内壁面との間に引っ掛かることなく、円滑に貫通孔３６に進入することができる。
【００２７】
＜第２の実施形態＞
図３は、本発明の第２の実施形態に係る釣竿２０の要部拡大断面図であり、元上節２６（一の節）から第３番節２５（他の節）が引き出された状態における両者の連結部分の構造が詳細に図示されている。
本実施形態が上記第１の実施形態と異なるところは、上記第１の実施形態では、元上節２６に真直な円筒状の第２嵌合部４０が設けられ、これにより、ワイヤガイド３４と元上節２６の内壁面との間に隙間が形成されることが防止されていたのに対し、本実施形態では、ワイヤガイド３４が元上節２６の内壁面の形状に対応した形状に形成されており、これにより、ワイヤガイド３４と元上節２６の内壁面との間に隙間が形成されることが防止されている点である。なお、その他の構成については、上記第１の実施形態と同様である。
【００２８】
元上節２６は、本体部３７と嵌合部３８とを備えており、両者は、同一のテーパが形成されている。本体部３７及び嵌合部３８のテーパは、本実施形態では、２／１０００〜５／１０００程度に設定されている。
ワイヤガイド３４は、全体として円筒状に形成されており、その先端部３５に雄ねじが形成されている。ワイヤガイド３４の先端部３５は、上記第１の実施形態と同様に、第３番節２５の後端部にねじ込まれている。なお、ワイヤガイド３４には、漏斗状の貫通孔３６が設けられている。
【００２９】
ワイヤガイド３４の先端部３５側の外径は、後端部側の外径よりも小さく設定されており、先端部３５側から後端部側へ漸次拡径されている。つまり、ワイヤガイド３４の側面４５は、所定のテーパが形成されており、このテーパは、上記嵌合部３８のテーパと同様であって、２／１０００〜５／１０００程度に設定されている。
したがって、第３番節２５が元上節２６から引き出された状態では、ワイヤガイド３４は、元上節２６の内壁面にぴったりと当接し、両者間に隙間は形成されない。
【００３０】
本実施形態においても、釣人が釣竿２０に釣糸を挿通する際には、まず、第３番節２５が元上節２６から引き出され、釣糸が引っ掛けられた糸挿通ワイヤ４１が釣糸挿通孔１９に挿入される。
糸挿通ワイヤ４１が元上節２６の内部に順次送り込まれると、糸挿通ワイヤ４１の先端部４２が第３番節２５の後端部設けられたワイヤガイド３４に到達する。ワイヤガイド３４には、上記漏斗状の貫通孔３６が設けられているから、糸挿通ワイヤ４１の先端部４２は、貫通孔３６の内壁面に案内されながら第３番節２５の内部に送り込まれる。
【００３１】
このとき、ワイヤガイド３４と元上節２６の内壁面とは、隙間なくぴったりと当接しているから、糸挿通ワイヤ４１は、ワイヤガイド３４と元上節２６の内壁面との間に引っ掛かることなく、円滑にワイヤガイド３４の貫通孔３６に進入することができる。
したがって、釣人は、本実施形態に係る釣竿２０のように、釣糸導入孔１９からワイヤガイド３４までの距離が大きい場合であっても、釣糸を釣竿２０に挿通する作業を容易且つ迅速に行うことができる。
【００３２】
特に、本実施形態に係る釣竿２０では、ワイヤガイド３４と元上節２６の内壁面とが隙間なくぴったりと当接されるために、ワイヤガイド３４の側面にテーパが形成され、このテーパは、元上節２６の嵌合部３８のテーパに対応されている。つまり、ワイヤガイド３４と元上節２６との間の隙間をなくすための構造がきわめて簡単であり、釣竿２０の製造も従来と同様の工程が採用され得る。その結果、釣竿２０の製造コストが大幅に上昇することはないという利点がある。
【００３３】
本実施形態においても上記第１の実施形態と同様に、ワイヤガイド３４の側面４５全体が元上節２６の内壁面に当接しているが、かかる構造に限定されるものではなく、ワイヤガイド３４の側面４５のうち、少なくとも後端部、すなわち、糸挿通ワイヤ４１が挿入される側の周縁部が元上節２６の内壁面とぴったりと当接する構造であればよい。
その場合であっても、糸挿通ワイヤ４１がワイヤガイド３４に到達したときに、ワイヤガイド３４と元上節２６の内壁面との間に引っ掛かることなく、円滑に貫通孔３６に進入することができる。
【００３４】
なお、上記各実施形態では、釣竿２０は、ズーム機構を備えているため、釣糸導入孔１９が元上節２６に設けられているが、ズーム機構を備えていない釣竿では、釣糸導入孔は元節（一の節）に設けられ、ワイヤガイドは、元上節（他の節）に取り付けられる。
【００３５】
【発明の効果】
以上のように本発明によれば、糸挿通ワイヤがワイヤガイドに進入する際に、ワイヤガイドと釣竿の内壁面との間に引っ掛かることがないので、糸挿通ワイヤは、円滑にワイヤガイドに進入することができる。したがって、釣糸導入孔からワイヤガイドまでの距離が小さい釣竿においては勿論、仮に釣糸導入孔からワイヤガイドまでの距離が大きい釣竿であっても、釣人は、釣糸を釣竿に挿通する作業を容易且つ迅速に行うことができる。
【図面の簡単な説明】
【図１】図１は、本発明の第１の実施形態に係る釣竿の正面図である。
【図２】図２は、本発明の第１の実施形態に係る釣竿の要部拡大断面図である。
【図３】図３は、本発明の第２の実施形態に係る釣竿の要部拡大断面図である。
【図４】図４は、従来のインナーガイドタイプの釣竿の正面図である。
【図５】図５は、従来のインナーガイドタイプの釣竿の要部拡大断面図である。
【符号の説明】
１９・・・釣糸導入孔
２０・・・釣竿
２１・・・釣竿本体
２５・・・第３番節
２６・・・元上節
２７・・・元節
３４・・・ワイヤガイド
３５・・・先端部
３６・・・貫通孔
３７・・・本体部
３８・・・嵌合部
４０・・・第２嵌合部
４１・・・糸挿通ワイヤ
４２・・・先端部
４５・・・側面
【図１】
2004187589.tif 000003
【図２】
2004187589.tif 000004
【図３】
2004187589.tif 000005
【図４】
2004187589.tif 000006
【図５】
2004187589.tif 000007